(57)【要約】【課題】頻繁に利用する書類あるいは図面類を収納袋に収納することなく収納袋の外側に綴じて容易に見ることができるようにして、収納袋に対する書類や図面類の出し入れの煩わしさを解消することができる書類・図面類ファイル付き収納袋を提供する。【解決手段】書類や図面類を収納する収納袋１と、この収納袋の外側に書類や図面類をファイリングするファイル２が一体に設けられているファイル付き収納袋であって、収納袋１は対向する表面板３と裏面板４の縦辺縁及び底辺縁の間を二つ折り可能な側面片５で塞いで上部のみが開放された袋状に形成されるとともに表面板の上縁に裏面板４に係止可能な覆蓋６が連設され、ファイルは表面板３及び裏面板４の縦辺に綴じ孔８を有する綴じ板７ａ，７ｂが連接され、裏面板４の綴じ板７ｂに折り目を介して折り曲げ可能に背表紙板９及び綴じ孔８を有する綴じ板１１が順次連設されている。【選択図】図１
0003112396.tif 000002
【実用新案登録請求の範囲】
【請求項１】
書類や図面類を収納する収納袋と、この収納袋の外側に書類や図面類をファイリングするファイルが一体に設けられているファイル付き収納袋であって、
収納袋は対向する表面板と裏面板の縦辺縁及び底辺縁の間を二つ折り可能な側面片で塞いで上部のみが開放された袋状に形成されるとともに表面板の上縁に裏面板に係止可能な覆蓋が連設され、
ファイルは表面板及び裏面板の縦辺に綴じ孔を有する綴じ板が連接され、裏面板の綴じ板に折り目を介して折り曲げ可能に背表紙板及び綴じ孔を有する綴じ板が順次連設されていることを特徴とするファイル付き収納袋。
【請求項２】
収納袋の裏面板の外側にポケットが取り付けられていることを特徴とする請求項１記載のファイル付き収納袋。
【請求項３】
表面板、裏面板、背表紙板及び綴じ板に紙材と布材の重合によって形成された板材が用いられ、側面片及び覆蓋に前記布材が用いられていることを特徴とする請求項１又は２記載のファイル付き収納袋。
【請求項４】
表面板、裏面板、側面片及び覆蓋が弾性を有する合成樹脂板により一体に形成されていることを特徴とする請求項１又は２記載のファイル付き収納袋。
【考案の詳細な説明】
【技術分野】
【０００１】
本考案は、書類、写真や設計図や写真等の図面類を収納するファイル付き収納袋に関する。
【背景技術】
【０００２】
本出願人は、建設工事や機械製作関係の書類や図面類をまとめて多量に収納し、かつ長期に亘って保管でき、頴繁に使用しても袋体が変形したり損傷したりすることがなく、収納物の変質を防ぎ、かつ長期保管と瀕繁に使用するのに便利な文書、図面等の収納・保管用袋を提案した（特許文献１参照）。
【０００３】
前記の文書、図面等の収納・保管用袋は、ボール紙のような厚手の紙材を内側にしてその外側の面に木綿、麻等の布材を重合させてなる板体にて表面板及び裏面板を形成し、表面板及び裏面板の三縁間を連結した二つ折り状の側面片と、裏面板の上縁辺上に連設した覆蓋を形成して袋主体を構成するとともに、側面片を設けている側の表面板及び裏面板の縁辺に、綴じ孔を設けた支片が連設されてなるものである。
【特許文献１】実公昭５５−４２９５２公報
【考案の開示】
【考案が解決しようとする課題】
【０００４】
前記従来の収納・保管用袋は、袋体に建設工事や機械製作などに関連する書類や図面類をまとめて収納・保管できるという長所を有するが、頻繁に利用する書類あるいは図面類、例えば工事の概要などの説明書類や図面類を収納袋から取り出したい場合、収納袋からいちいち取り出し、また収納袋に戻さなくてはならず、また書類や図面類がまとめて多量に収納されていると場合によっては全部の書類や図面類を取り出して探さなくてはならなくなって手間がかかるだけでなく、使用後に取り出した書類や図面類を収納袋へ戻すのにも手間がかかって、書類や図面類の出し入れが煩わしく、また、紛失したり破損したりするという欠点があった。
【０００５】
そこで、本考案は、頻繁に利用する書類あるいは図面類を収納袋に収納することなく収納袋の外側に綴じて容易に見ることができるようにして、収納袋に対する書類や図面類の出し入れの煩わしさを解消することができる書類・図面類ファイル付き収納袋を提供するものである。
【課題を解決するための手段】
【０００６】
本考案は、書類や図面類を収納する収納袋と、この収納袋の外側に書類や図面類をファイリングするファイルが一体に設けられているファイル付き収納袋であって、収納袋は対向する表面板と裏面板の縦辺縁及び底辺縁の間を二つ折り可能な側面片で塞いで上部のみが開放された袋状に形成されるとともに表面板の上縁に裏面板に係止可能な覆蓋が連設され、ファイルは表面板及び裏面板の縦辺に綴じ孔を有する綴じ板が連接され、裏面板の綴じ板に折り目を介して折り曲げ可能に背表紙板及び綴じ孔を有する綴じ板が順次連設されていることを特徴とする。
【０００７】
収納袋の裏面板の外側にポケットを取り付けてもよい。
【０００８】
表面板、裏面板、背表紙板及び綴じ板に紙材と布材の重合によって形成された板材を用い、側面片及び覆蓋に前記布材を用いることができ、また、表面板、裏面板、側面片、背表紙板及び覆蓋が弾性を有する合成樹脂板により一体に形成してもよい。
【考案の効果】
【０００９】
本考案のファイル付き収納袋により、多量の書類を書類・図面類収納袋（以下「収納袋」という。）に収納することができるとともに、頻繁に利用する書類あるいは図面類については収納袋に収納することなく収納袋の外側に形成されるファイルにファイリングすることによってそのまま見ることができる。そのため、従来の収納袋の欠点である書類の出し入れの煩わしさがなくなり、また、紛失したり破損したりすることもなくなる。
【００１０】
ビデオテープ、ＣＤ、ＤＶＤの映像記録媒体を収納して保管するポケットを収納袋と別に設けることにより映像記録媒体の取扱が容易になり、また、安全に収納保管することができる。
【００１１】
ファイリングされた書類や図面類の上に表紙を綴じることにより、書類を保護することができる。
【考案を実施するための最良の形態】
【００１２】
本発明の実施例を、図面を参照して説明する。
【実施例１】
【００１３】
図１は本考案のファイル付き収納袋を表側から見た斜視図、図２は同収納袋を裏側から見た斜視図である。
【００１４】
本考案のファイル付き収納袋は、書類や図面類を収納する収納袋１と、この収納袋１の外側に書類や図面類をファイリングするファイル２が一体に設けられる。
【００１５】
収納袋１は、対向する表面板３と裏面板４、側面片５で袋状に形成され、上部に覆蓋６が設けられる。
【００１６】
収納袋１の表面板３及び裏面板４は、内側をボール紙のような厚手の紙材とし、その外側に木綿、麻、化繊等の布材を重合して一体とした板材にて形成する。紙材と布材とは、適宜の接着剤をもって重合、あるいは縫製により重合してもよい。
【００１７】
対向する表面板３と裏面板４の縦辺縁及び底辺縁の間を二つ折り可能な側面片５で塞いで上部のみ開放した袋状に形成する。表面板３と裏面板４の連結は接着剤などの接着、あるいは縫製により連設される。
【００１８】
裏面板４の上縁辺上に覆蓋６を連接する。覆蓋６は収納袋１の収納厚さに対応して覆うことができる長さにする。また覆蓋６は、覆った場合に裏面板４の係止具４ａに係止できるように結紐、ホック、面ファスナー等の係止具６ａを設ける。
【００１９】
側面片５及び覆蓋６は、いずれも表面板３及び裏面板４の外側に用いた木綿、麻、化繊等の柔軟な布材によって折り曲げ可能に形成する。
【００２０】
表面板３及び裏面板４の縦辺には、これらと同様に紙材と布材の重合によって形成された板材からなる綴じ板７ａ，７ｂを連設する。綴じ板７ａ，７ｂには、綴じ紐を通す綴じ孔８を穿孔し、適宜鳩目を施して書類のファイリングに利用する。なお、綴じ板７ａ，７ｂは、折目を介して表面板３及び裏面板４と一体に板体をもって形成することができる。
【００２１】
裏面板４の綴じ板７ｂには、さらに背表紙板９が折り目を介して折り曲げ可能に連設される。背表紙板９は表面板３及び裏面板４にと同様に紙材と布材の重合によって形成された板材からなる。背表紙板９には見出しを記入するための見出し用紙１０を貼着してもよい。
【００２２】
背表紙板９にはさらに綴じ紐を通す複数の綴じ孔８を穿孔した綴じ板１１が折り目を介して折り曲げ可能に連設される。背表紙板９の幅は、収納袋１にいっぱいに書類を入れて二つ折りの側面片５が平面状に広げられた幅より大きくし、収納袋１の表面板４の綴じ板７ａと綴じ板１１との間に書類を綴じることができる間隔を形成できる幅にする。
【００２３】
なお、本実施例では、表面板３、裏面板４、背表紙板９、綴じ板７ａ，７ｂ，１１を紙材と布材の重合によって形成された板材を用い、側面片５及び覆蓋６に布材を利用しているが、これらの表面板３、裏面板４、側面片５、背表紙板及び覆蓋６を、弾性を有する合成樹脂により一体に形成してもよい。  
【００２４】
図３は本考案のファイル付き収納袋の使用状態を示す斜視図である。書類や図面類１２ａを収納袋１に収納し、頻繁に利用する書類あるいは図面類１２ｂ、は収納袋１の表面板３の綴じ板７ａと背表紙板９に連接された綴じ板１１との間に形成されるファイル２に綴じ紐１３を用いて綴じる。これにより、頻繁に利用する書類１２ｂを綴じた状態で見ることが可能となる。図２では、ファイリングされた書類の保護等のために表紙１４を綴じているが、表紙を外した状態で使用してもよい。
【実施例２】
【００２５】
図４は本考案のファイル付き収納袋の別実施例を裏面から見た斜視図である。
【００２６】
本実施例では、ビデオテープ、ＣＤ、ＤＶＤ、写真等の映像記録媒体を収納するポケット１５を収納袋１の裏面板４の外側に設けたものである。ポケット１５は布材、あるいは樹脂で形成することができる。
【００２７】
収納袋１と別に設けたポケット１５にビデオテープ、ＣＤ、ＤＶＤの映像記録媒体を収納して保管することで取扱が容易になり、また、映像記録媒体を安全に収納保管することができる。
【図面の簡単な説明】
【００２８】
【図１】本考案のファイル付き収納袋を表側から見た斜視図。
【図２】本考案のファイル付き収納袋を裏側から見た斜視図。
【図３】本考案のファイル付き収納袋の使用状態を示す斜視図。
【図４】本考案のファイル付き収納袋の別実施例を裏面から見た斜視図。
【符号の説明】
【００２９】
１： 収納袋
２： ファイル
３：表面板
４：裏面板
４ａ：係止具
５：側面片
６：覆蓋
６ａ：係止具
７ａ，７ｂ：綴じ板
８：綴じ孔
９：背表紙板
１０：見出し用紙
１１：綴じ板
１２ａ，１２ｂ：書類や図面類
１３：綴じ紐
１４：表紙
１５：ポケット
【図１】
0003112396.tif 000003
【図２】
0003112396.tif 000004
【図３】
0003112396.tif 000005
【図４】
0003112396.tif 000006